(57)【要約】  液体を収容する室を含む容器と、出口ポートと、その容器内の少なくとも１つのローラとを有するモップ頭部ディスペンサである。ローラは、容器内のモップ頭部の積重体に近接して配置されており、このローラが回転して、１枚のモップ頭部と係合し、出口ポートを通じてそのモップ頭部を分配する。
2007536010.tif 000002
【特許請求の範囲】
【請求項１】
収容鍋状部と、少なくとも１つのローラとを含むモップディスペンサであって、
前記少なくとも１つのローラが、前記収容鍋状部内のモップ積重体に近接して配置されており、
前記ローラが回転して、１つのモップと係合し、前記モップを前記鍋状部から取り出す、モップディスペンサ。
【請求項２】
第１のローラと第２のローラとを含み、前記モップが、前記第１のローラと前記第２のローラとの間を通る、請求項１に記載のディスペンサ。
【請求項３】
前記モップ積重体が、上向きに付勢される、請求項１に記載のディスペンサ。
【請求項４】
前記モップ積重体が、少なくとも１つの弾性部材によって上向きに付勢される、請求項３に記載のディスペンサ。
【請求項５】
前記弾性部材がスプリングである、請求項４に記載のディスペンサ。
【請求項６】
前記ディスペンサが、その中に貫通孔を有する上部を含み、前記貫通孔によって、前記上部の上のいかなる流体も前記収容鍋状部内へと還流することができる、請求項１に記載のディスペンサ。
【請求項７】
前記モップ積重体に近接した往復ピックアップバーをさらに含み、前記ピックアップバーが、前記モップを前記ローラの方へと促す、請求項１に記載のディスペンサ。
【請求項８】
前記ピックアップバーが、前記ローラに接続される歯車に摺動可能に接続される、請求項７に記載のディスペンサ。
【請求項９】
前記収容鍋状部が、前記ディスペンサに取り外し可能に取り付けられる、請求項１に記載のディスペンサ。
【請求項１０】
前記収容鍋状部が液体レベル窓を含み、しるし部が前記窓に隣接して配置される、請求項１に記載のディスペンサ。
【請求項１１】
前記ローラに近接した方向転換器をさらに含み、前記収容鍋状部が上部カバーをさらに含むディスペンサであって、前記方向転換器が、前記ディスペンサに摺動可能に連結されており、前記方向転換器の位置によって、モップが床の表面上に分配されるか、または前記上部カバーの上に分配されるかが決定される、請求項１に記載のディスペンサ。
【請求項１２】
前記上部カバーが貫通孔を備える、請求項１１に記載のディスペンサ。
【請求項１３】
前記ローラが、原動力によって駆動される、請求項１に記載のディスペンサ。
【請求項１４】
前記原動力が電気モータを含む、請求項１３に記載のディスペンサ。
【請求項１５】
前記原動力がペダルを含む、請求項１３に記載のディスペンサ。
前記原動力が、ＲＦ送信機及び受信機を使用して作動される、請求項１３に記載のディスペンサ。
【請求項１６】
前記ローラが、前記ディスペンサの枢動頭部内に含まれる、請求項１に記載のディスペンサ。
【請求項１７】
前記枢動頭部を上向きに回すと、前記収容鍋状部を前記ディスペンサから取り外すことができる、請求項１６に記載のディスペンサ。
【請求項１８】
前記ディスペンサが、収容鍋状部の複数のサイズに適合できる、請求項１７に記載のディスペンサ。
【請求項１９】
前記鍋状部が前記ディスペンサ内に置かれたときに、前記ディスペンサが、収容鍋状部の前記サイズを自動的に検知し、前記収容鍋状部の前記サイズに基づいて、前記ローラの回転の量を調節する、請求項１８に記載のディスペンサ。
【請求項２０】
どのサイズの収容鍋状部が使用されるかについて、使用者が前記ディスペンサに手動で指示し、前記収容鍋状部の前記サイズに基づいて前記ローラの回転の量が調節される、請求項１８に記載のディスペンサ。
【請求項２１】
洗浄の方法であって、
収容鍋状部と少なくとも１つのローラとを含む、モップディスペンサを提供する工程であって、前記少なくとも１つのローラが、前記収容鍋状部内のモップ積重体に近接して配置される、モップディスペンサを提供する工程と、
前記ローラに接続される原動力に連動する工程であって、それによって前記ローラを回転させ、当該ローラが１つのモップをピックアップして、前記収容鍋状部から前記モップを分配する、原動力に連動する工程とを含む、方法。
【請求項２２】
前記ローラが、前記モップを床の上に分配する、請求項２１に記載の方法。
【請求項２３】
前記ローラが、前記モップを前記収容鍋状部の上に分配する、請求項２２に記載の方法。
【請求項２４】
前記原動力が働いたときの前記ローラによる回転の量を設定する工程をさらに含む、請求項２１に記載の方法。
【請求項２５】
前記設定する工程が、使用者によって手動で行われる、請求項２４に記載の方法。
【請求項２６】
前記設定する工程が、前記モップディスペンサによって自動的に行われる、請求項２４に記載の方法。
【請求項２７】
モップが前記収容鍋状部の上に分配されるか、または床の上に分配されるかを選択する工程をさらに含む、請求項２１に記載の方法。
【請求項２８】
前記ディスペンサが、少なくとも２つのローラを含む方法であって、前記２つのローラの間の間隔を調節する工程をさらに含む、請求項２１に記載の方法。
【発明の詳細な説明】
【技術分野】
【０００１】
本発明は、一般に洗浄装置に関し、より詳細には、モップを分配するためのディスペンサに関する。
【背景技術】
【０００２】
使用しているとき、従来の糸モップは、すぐに汚染されることがあり、したがって頻繁にモップ頭部を漂白剤またはその他の強力な消毒剤で洗浄する必要が生じる。これは、病院などの商業用途に特に当てはまり、病院では、清潔なモップ頭部の実用的な周期的寿命が規則によって指示されており、これは、病室から病室へと広まる可能性のある汚染の量を減らすことを目的とするものである。さらに病院の規則は、糸モップ用に使用される洗浄液を定期的な間隔で交換することも求めており、これもやはり、バクテリアまたはウイルスが病室同士及び患者同士の間で広まる可能性を減らすためのものである。このモップ頭部及びモップ洗浄液の交換は、労働集約的なプロセスであり、それによって機関の労働力に対する需要が増大し、コストが上昇する。さらに、これらのプロセスは、かなりの量の水及び有毒化学物質を浪費し、公共下水道及び私設下水道に入る有毒化学物質の量によって環境問題へとつながり、最終的には湖、川、貯水池などへ流れ込む可能性がある。
【発明の開示】
【発明が解決しようとする課題】
【０００３】
平坦モップは、糸モップに勝る改良形態であり、必要とされる（１つまたは複数の）洗浄剤を含有する溶液を容器内に収容することができ、この容器には、多くの清潔な平坦モップが入っている。これらの平坦モップは、通常は円筒状の形に巻かれ、容器内に並べて配置される。新しい平坦モップが必要になったときには、使用者は、容器から清潔な平坦モップを取り、現在のモップと取り替えることができる。この手法のもとでは、汚れた平坦モップが、清潔な溶液と接触しないですむ。しかし、たとえこの方法を用いても、使用者は、依然として平坦モップを物理的に手に取って溶液から取り出し、床の上に置く必要があり、これによって、使用者の手（または手袋）の上の汚れ、ウイルス、またはバクテリアが、清潔な溶液、ならびにその溶液内の残りの平坦モップに移りうる可能性が増大するおそれがある。さらに使用者にとっては、洗浄液の入った容器内へと手を伸ばして平坦モップを取り出さなければならないことは不便であり、これによって使用者は、次いで自分の手を洗って乾かすことが必要となる。もしも使用者が、洗浄液の中へと手を伸ばす際に手袋をはめていなければ、皮膚の有害反応が生じるおそれがあり、これは、欠勤、身体障害、労働者による雇用主への損害賠償請求、及び雇用主が臨時労働者を雇う必要性へとつながる可能性がある。したがって、上述の不利な点を取り除くために、平坦モップを交換するための改良された方法及び装置に対するニーズが存在する。その他のニーズについては、以降の詳細な説明を図面と併せてさらに読めば、明らかになるであろう。
【課題を解決するための手段】
【０００４】
本発明の一実施形態は、収容鍋状部を含む容器と、その鍋状部に近接した少なくとも１つのローラとを有する平坦モップディスペンサを含む。このローラは、収容鍋状部内の平坦モップの積重体に近接して配置されており、このローラが回転して、１枚の平坦モップと係合し、その平坦モップをディスペンサの外へと分配する。
【発明を実施するための最良の形態】
【０００５】
本発明は、さまざまな形の実施形態が可能であるが、本開示は、本発明の例示とみなされるものであり、示される特定の実施形態に本発明を限定することを意図するものではないという理解のもとで、現時点で好ましい実施形態が図面に示してあり、これについて以降で説明する。
【０００６】
図１に示されるように、本発明のモップディスペンサの一実施形態は、その全体が参照番号１０として示されており、収容鍋状部分１２と、ローラ部分１４とを含む。図２に示されるように、収容鍋状部分１２は、ほぼ長方形の筐体１６を含み、この筐体１６は、排液開口２０を備えた上部分１８を含み、この排液開口２０は、上部分１８上に分配されるモップから、余分なモップ流体を全て排液するために使用される。排液開口２０の排液機能を高めるために、上部分は、下に約１５度傾いていることが好ましい。しかし、上部分１８が下に傾いていることは必須ではなく、また収容鍋状部１２が上部分１８または排液開口２０を含むことも必須ではないことが理解できよう。実際に、本発明のモップディスペンサは、決して湿式のモップと共に使用する必要はない。それどころか、乾式のモップをディスペンサ１０から分配することもできる。
【０００７】
収容鍋状部分１２はまた、持ち運び用の取っ手２２を含むことが好ましく、この取っ手２２は、収容鍋状部分１２の両側部にある案内部２４の中から引き伸ばしたり、案内部２４の中へ引っ込めたりすることができる。図２は、引っ込めた位置の取っ手を示しており、図３は、引き伸ばした位置の取っ手を示している。取っ手が収容鍋状部分１２から完全に外れてしまうことを防止するために、取っ手２２のそれぞれの側部に止め部２６が提供される。さらに収容鍋状部分１２は、洗浄液レベル窓２８を含むことが好ましく、この洗浄液レベル窓２８は、透明なプラスチックから作成することが好ましい。洗浄液レベル窓２８によって、モップディスペンサ１０の使用者は、しるし部３０を用いて洗浄液のレベルを測定することができ、このしるし部３０は、収容鍋状部分１２内に射出成形されることが好ましい。
【０００８】
収容鍋状部分１２はまた、角度の付いた先端部分３２を含むことが好ましく、この先端部分３２は、収容鍋状部分をローラ部分１４内にロックする上での補助として使用される。また収容鍋状部分１２は、輪郭を形成する前方部分３３を含み、この前方部分３３は、収容鍋状部分１２とローラ部分１４とが合体したときに、ローラ部分１４の輪郭を形成する部分と接合することを意図している。
【０００９】
図４は、ローラ部分１４の斜視図を示している。ローラ部分１４は、基部３４及び枢動頭部３６という２つの主要な部分を含む。基部３４は、ほぼ長方形であり、中空の中央部３８を含み、この中央部３８は、収容鍋状部１２を壁部４０同士の間に受け入れるように設計される。基部はまた、固定開口４２（図５）を含み、この固定開口４２は、枢動頭部３６の固定タブ４４を受け入れるように設計される。解除ボタン４５は、例えば使用者が収容鍋状部１２を別のサイズの収容鍋状部１２と交換したいときに、固定タブ４４を固定開口４２から解除する。
【００１０】
枢動頭部３６は、摺動式の方向転換部材４６を含み、この方向転換部材４６は、分配開口４８を通じて収容鍋状部１２の上に、または分配開口５０を通じて直接床の上に（図１０乃至図１２）、モップを選択的に分配することを可能にする。図１３にさらに詳しく示されるように、摺動式の方向転換部材４６は、複数のローラ５２を含み、このローラ５２は、分配される間のモップの動きを容易にする。この方向転換部材はまた、スプリング式の固定部材５４を含み、この固定部材５４は、枢動頭部３６の上部にある凹部５６に嵌ることによって、方向転換部材４６を特定の位置に保持するように機能する。当業者なら理解できようが、枢動頭部３６内に複数の凹部５６を提供して、多くの位置を提供することができる。しかし好ましい実施形態においては、２つの凹部が好ましく、これは、収容鍋状部１２の上または床の上のどちらかにモップが分配されることに対応するものである。
【００１１】
枢動頭部３６はまた、往復ピックアップバー５６を含み、この往復ピックアップバー５６は、モップを収容鍋状部１２から、ローラ５８及び６０へと引き込むように機能する（例えば、図１０乃至図１２を参照）。往復ピックアップバー５６は、歯車６４に取り付けられている棒６２（図７）を介して駆動される。次いで歯車６４が歯車６６によって駆動され、そして歯車６６が歯車６８によって駆動され、歯車６８は原動力に接続される。歯車６４はローラ５８に接続されており、歯車６６はローラ６０に接続される。好ましい一実施形態においては、原動力は、直流電気モータ７０である。しかし原動力としては、単純な手動クランクや、位置エネルギーを（例えばコイルバネの中に）蓄えるために使用される装置など、シャフトを回転させることができるその他の任意の装置を含むことができ、この場合、使用者は、作業日の始めにコイルバネを巻いておき（すなわち、手動クランクを用いて）、新しいモップが欲しくなった間隔に合わせて、バネの中に蓄えられているエネルギーを解き放つことができることが理解できるはずである。あるいは、使用者が新しいモップを分配したくなるたびに、フットまたはハンドペダル７２（図９）を単に動かすことによって、原動力を起動することもできる。複数の原動力を使用できることも、本発明の範囲内である。例えば、２つのローラ５８及び６０のそれぞれに別々の原動力を取り付けることができる。
【００１２】
直流電気モータを使用する実施形態においては、モータとしては、個別の用途に応じてポータブル電気ドリルなどのポータブル電動工具によく見られるタイプの充電式バッテリーに結合される１２乃至１８ボルトのモータを含むことが好ましい。しかし、十分なトルクを有する任意のタイプの電気モータを、本発明と共に使用できることを当業者なら認識するであろう。また、交流電源及び太陽電源などのその他の電源を使用することもできる。直流電気モータを使用する本発明の実施形態においては、図８及び図９に示されるように、ＲＦテクノロジーを使用する遠隔制御送信機７４を用いてモータを作動させることが好ましい。したがって使用者は、モップカートの上など、都合のよい場所にリモートＲＦ送信機７４を置いておき、新しいモップが欲しくなったときに送信機を作動させることができる。すると送信機７４は、モップディスペンサ上のＲＦ受信機７６と通信し、このＲＦ受信機７６が、モータを作動させてモップを分配する。
【００１３】
図１０乃至図１２は、本発明の一実施形態のモップ分配動作を示している。図１０に示されるように、使用者は、収容鍋状部１２内のモップ積重体８０から１枚の平坦モップ７８を分配したい場合には、まず方向転換部材４６をモップディスペンサの後方へ動かし、次いで（一実施形態においては）電気モータ７０を作動させる。これによって、往復バー５６が往復し、モップを動かして、歯車６４に接続されるローラ５８の方へ分配する。そしてモップ７８は、ローラ５８及び６０を通って進み、方向転換器４６の位置によって、分配開口４８を通って収容鍋状部１２の上へと分配される。あるいは使用者は、モップを直接床の上に分配したいと思うかもしれない。この場合、使用者は、方向転換器４６をモップディスペンサの前方へ動かし、次いで（一実施形態においては）電気モータ７０を作動させる。これによって、往復バー５６が往復し、モップを動かして、歯車６４に接続されるローラ５８の方へ分配する。そしてモップ７８は、ローラ５８及び６０を通って進み、方向転換器４６の位置によって、分配開口５０を通って床の上へと分配される。本発明の好ましい一実施形態では、モップがローラと接触することを容易にするために往復バーを利用するが、本発明は往復バーを伴わずに使用することもできるという点に留意されたい。
【００１４】
当業者なら理解できようが、平坦モップは、通常はマジックテープ（登録商標）式固定システムまたはその他の適切な取付け方法を用いてモップフレームに接続されるため、ディスペンサ１０の使用者は、モップフレームを平坦モップに取り付けることが容易になるように、及び平坦モップに触れて裏返したり、あるいはマジックテープ（登録商標）式固定システムを調整したりしなくてすむように、平坦モップのマジックテープ（登録商標）システムの側が上を向いていることを望むであろう。したがって、モップが床の上に分配されることを使用者が望む場合、平坦モップは、そのマジックテープ（登録商標）システムの側が上を向いている状態で収容鍋状部１２内に装填されることが好ましい。このマジックテープ（登録商標）システムの側が上になった向きは、図１１に示されるように、モップが出口ポート５０から押し出される際に維持される。その一方で、平坦モップが収容鍋状部１２の上に分配されることを使用者が望む場合、平坦モップは、図１２に示されるように、ローラ５８及び方向転換器４６の働きによって出口ポート４８から押し出されるときまでには裏返されて、マジックテープ（登録商標）の側が上になるため、そのマジックテープ（登録商標）システムの側が下を向いている状態で収容鍋状部１２内に装填されることが好ましい。
【００１５】
図１０乃至図１２において見て取れるように、モップ積重体８０は、弾性部材８２によって上向きに付勢されており、この弾性部材８２は、好ましい一実施形態においては、ピボット斜面８４とスプリング部材８６とを含む。しかし、任意のタイプの付勢構造が本発明と共に機能するということを理解されたい。例えば、弾性部材８２を浮揚装置、対向する磁石、発泡体、ゴムなどに置き換えることができる。あるいは、洗浄液に浮かぶようにモップ８０を製造することもでき、したがって弾性部材８２やその他の付勢構造が全て不要となる。
【００１６】
図１４は、本発明の一実施形態と共に使用するための絞り器組立体８８を示している。絞り器組立体８８は、Ｕ字形ブラケット９０を含み、このＵ字形ブラケット（張出棚、持送り）９０は、ネジ部９２とローラ取付用延長部９４とを含み、このローラ取付用延長部９４に、ローラ６０が回転可能に取り付けられている。Ｕ字形ブラケットは、好ましくはピン及び細長孔の構成（図示せず）を介して、取付け部９６に摺動可能に接続される。しかし、Ｕ字形ブラケット９０を取付け部９６に摺動可能に取り付けるためのその他のいかなる構造も、本発明の一実施形態を実施する上で許容可能であるということを当業者なら認識するであろう。絞り器組立体８８は、ネジ切りボルト９８を含み、このネジ切りボルト９８は、一方の端部がネジ部９２にねじ込まれており、他方の端部が調節ノブ１００に接続される。調節ノブ１００は、枢動頭部３６の後部筐体１０２の外側に配置される。したがって、調節ノブがネジ切りボルト９８に接続されるために、このネジ切りボルトは、後部筐体１０２の開口１０４を貫通している。ローラ６０とローラ５８との間の距離によって、分配されるモップに対してこれらのローラが加える圧力が決定され、したがって、モップがローラ５８及びローラ６０を通り抜ける際にそのモップからどれぐらいの量の洗浄液が絞り出されるかが決定される。したがって使用者は、より乾いたモップが欲しい場合には、調節ノブ１００を反時計方向に回して、ローラ５８とローラ６０とを近づける。あるいは使用者は、より湿ったモップが欲しい場合には、調節ノブを時計方向に回して、ローラ５８とローラ６０との間をさらに離す。図１４に示される実施形態では、可動式のローラ６０と固定式のローラ５８とを提供しているが、双方のローラが可動式であったり、あるいはローラ６０ではなくローラ５８が可動式であったりするその他の実施形態を本発明の実施に伴って使用できることが理解できるはずである。またローラ５８及びローラ６０は、こぶ状の突起１０６を含むことが好ましく、この突起１０６は、ローラ５８及びローラ６０がモップをつまみ取って絞る上での補助となることを図１４は示している。しかし、このような突起、ならびに調節可能なローラは、本発明の実施にとって必須ではないことが理解できよう。
【００１７】
図１５乃至図１７は、本発明の一実施形態において収容鍋状部分１２をローラ部分１４へと挿入するための方法を示している。図１５に示されるように、使用者は、まずローラ部分１４の枢動頭部３６を解除し、図１５に示される位置まで回す。次いで使用者は、（図１６に示されるように）収容鍋状部分１２をローラ部分１４内に挿入して、収容鍋状部分１２がその方向にそれ以上動けなくなるまで、すなわち枢動頭部３６の輪郭を形成する後方部分３７（図５）が、収容鍋状部１２の輪郭を形成する前方部分３３（図３）と接合する地点まで摺動させる。最後に、枢動頭部３６を図１７に示される方向へ下に回して、固定タブ４４及び固定開口４２によって枢動頭部３６を基部３４に固定する。この動きはまた、収容鍋状部分をローラ部分１４内に固定して、一体化されたモップディスペンサ１０を形成する。
【００１８】
本発明の一実施形態の収容鍋状部分１２は、さまざまなモップサイズに適合するようにさまざまなサイズで提供できることが有利である。例えば使用者は、３８．１ｃｍ（１５インチ）、５０．８ｃｍ（２０インチ）、及び６６．０ｃｍ（２６インチ）のモップ用に別々の収容鍋状部分１２を有することができ、それぞれの収容鍋状部分は、同様の構造を有しており、それによって、いかなる修正も加えることなくローラ部分１４内に組み込むことができる。別々のサイズの収容鍋状部分１２が、図１８に示される。しかし、別々のサイズの別々の収容鍋状部を有することに対する別法として、取り外し可能な隔壁と共に単一の収容鍋状部を使用できることが理解できよう。また、全てのサイズのモップ用として大型の収容鍋状部を使用することができ、モップが置かれる鍋状部の部分のサイズを変更するための、いかなるパーティションまたはその他の手段も有さないことも本発明の範囲内である。しかし、別々のサイズの収容鍋状部あるいは（１つまたは複数の）隔壁を備えた鍋状部を使用することが好ましく、これによって使用者は、所与のモップサイズに必要とされるよりも多くの洗浄液を収容鍋状部に注ぐ必要がなくなるため、資源を節約することができる。
【００１９】
ローラ部分１４が適合できる収容鍋状部１２のさまざまなサイズ（したがって、さまざまなモップサイズ）のために、ローラ５８及びローラ６０の回転の量は、分配されるモップのサイズに応じて変化することが好ましい。本発明の一実施形態においては、モップディスペンサは、図１９に示されるように、モップ選択器１０８を含み、このモップ選択器１０８は、さまざまなモップサイズを表示し、回転可能な選択器スイッチ１１０を含み、使用者は、この回転可能な選択器スイッチ１１０を回転させて、使用しているモップサイズを選択する。使用者によるこの選択によって、使用者がモータを作動させたときにローラ５８及びローラ６０によって達成される回転の量が変わる。したがって、より大きなモップサイズを選択すると、ローラ５８及びローラ６０によって実行される回転数が増える結果となり、より小さなモップサイズを選択すると、ローラ５８及びローラ６０によって実行される回転数が減る結果となる。３８．１、５０．８、及び６６．０ｃｍ（１５、２０、及び２６インチ）のモップサイズが、回転可能な選択器スイッチ上のしるし部として示されるが、本発明を実施する際には、任意のサイズのモップを使用できることを理解されたい。
【００２０】
本発明の別の実施形態は、自動的に収容鍋状部のサイズを検知する機構を含み、これによって、手動の選択器が不要となる。図２０に示されるように、そのような１つの自動的な検出機構は、ローラ部分１４の枢動頭部３６内に配置される３つのスイッチ１１２、１１４、及び１１６を採用する。好ましい一実施形態においては、ローラ部分１４内に挿入される収容鍋状部１２のサイズに応じて、これらのスイッチのうちの１つを作動させる。例えば、１２”の収容鍋状部を挿入すると、角度の付いた部分３２上の突起１１８が、スイッチ１１２を始動させる。あるいは、２０”の収容鍋状部を挿入すると、突起１１８とは異なる位置にある突起１２０が、スイッチ１１４を始動させる。同様に、２６”の収容鍋状部を挿入すると、突起１１８及び突起１２０とは異なる位置にある突起１２２が、始動スイッチ１１６を始動させる。任意の数のスイッチ及び／または突起を本発明と共に使用できることが理解できよう。また、突起及びスイッチによる機構以外のその他の検出機構を本発明と共に使用できる。例えば、突起１１８、１２０、及び１２２、ならびに機械式スイッチ１１２、１１４、及び１１６の代わりに、光スイッチまたは磁気スイッチを使用できる。
【００２１】
図２１は、本発明の一実施形態においてモップディスペンサ１０を取り付けるための構造を示している。この実施形態においては、モップディスペンサ１０は、ブラケット１２４を含み、このブラケット１２４は、Ｔ字形の突起１２６上を摺動することができ、このＴ字形の突起１２６は、クランプ１２８に固定されて接続される。そしてクランプは、例えば、転がるモップカートに取り付けることができる。好ましい一実施形態においては、クランプ１２８は、円筒状の棒を握るような形でぴったり嵌るように設計される。しかし、例えばマジックテープ（登録商標）、磁石、スナップジョイント、ボルト、溶接など、任意のタイプのクランプまたは取付け方法を、ブラケット１２４、Ｔ字形の突起１２６、及びクランプ１２８の代わりに使用できることを当業者なら認識するであろう。
【００２２】
図２２に示されるように、本発明の別の実施形態は、クランプに接続されるＴ字形の突起を有する代わりに、Ｔ字形の突起が、細長い土台構造１３０に接続されることを示している。この実施形態は、例えば、使用者がモップディスペンサ１０を直接床の上に置きたいと希望する場合に使用することができる。
【００２３】
当業者なら容易に理解できようが、本発明の一実施形態の操作は、使用者がどのサイズのモップを使用したいかを最初に決めて、そして適切なサイズの収容鍋状部１２を選択することによって達成される。次に使用者は、収容鍋状部１２をローリング部分１４内に入れて固定し、収容鍋状部１２に所望の量及びサイズの平坦モップを詰め、次いで収容鍋状部１２を洗浄液で満たす。使用者は、（転がすモップカートから、床から、またはその他の形で）平坦モップを分配したい場合には、モップを分配する所望の方法を（すなわち、それぞれ収容鍋状部の上または床の上のどちらかにモップを分配するために方向転換器４６をローラ部分１４の前方または後方へ動かすことによって）最初に選択する。次いでモップを分配するために、使用者は、（ＲＦ送信機、ハンドまたはフットペダル、クランクを通じて、あるいはその他の形で）原動力を起動させ、モップを分配する。そしてモップが分配されると、使用者は、任意の所望の目的でそのモップを使用できる。したがって、上述の説明からわかるように、本発明のモップディスペンサ１０によって、使用者は、最小限の労力で、汚れ、バクテリア、またはウイルスで洗浄液を汚染することなく、かつ洗浄液を浪費しないですむことによって資源を節約しながら、モップを容易に分配することができる。
【００２４】
本発明の好ましい実施形態に関する上述の説明は、例示及び説明の目的で提示されており、網羅的であることや、開示される厳密な形態に本発明を限定することを意図するものではない。例えば、本発明の好ましい一実施形態は、平坦モップを分配するために使用されるが、例えば仕上げ用のアプリケータなど、許容可能な寸法を有するいかなる物体も、本発明のディスペンサにおいて分配することができる。また、再利用可能なモップ及び使い捨てのモップの双方ならびにその他の物体を本発明の実施に伴って使用することもできる。この説明は、本発明の原理、及びそれらの原理の実用的な応用例を最もよく説明して、考えられる特定の使用に適するようにさまざまな実施形態及びさまざまな修正において当業者が本発明を最もよく利用できるようにするために選択されたものである。本発明の範囲は、本明細書によって限定されるものではなく、添付の特許請求の範囲によって画定されることを意図している。
【図面の簡単な説明】
【００２５】
【図１】本発明のモップディスペンサの一実施形態を示す斜視図である。
【図２】本発明のモップディスペンサの一実施形態と共に使用するための収容鍋状部を示す斜視図である。
【図３】その上の延びた位置に取っ手を有する本発明のモップディスペンサの一実施形態と共に使用するための収容鍋状部を示す斜視図である。
【図４】本発明のモップディスペンサの一実施形態と共に使用するためのローラ部分を示す斜視図である。
【図５】開いた位置にその頭部部分を有する本発明のモップディスペンサの一実施形態と共に使用するためのローラ部分を示す斜視図である。
【図６】本発明のモップディスペンサの一実施形態を示す側面図である。
【図７】その上の歯車カバーを取り外した状態の本発明のモップディスペンサの一実施形態を示す側面図である。
【図８】バッテリーで作動する本発明のモップディスペンサの一実施形態を示す斜視図である。
【図９】手動で操作される本発明のモップディスペンサの一実施形態を示す斜視図である。
【図１０】本発明のモップディスペンサの一実施形態を示す断面図である。
【図１１】本発明のモップディスペンサの一実施形態を示す断面図であり、モップが床の方へ分配されるところを示している。
【図１２】本発明のモップディスペンサの一実施形態を示す断面図であり、モップが収容鍋状部の上の方へ分配されるところを示している。
【図１３】本発明の一実施形態のために使用される方向転換部材を示す断面図である。
【図１４】本発明の一実施形態と共に使用される調節可能な絞り器組立体を示す上面図である。
【図１５】本発明の一実施形態において、収容鍋状部をローラ部分に取り付けるための工程を示す図である。
【図１６】本発明の一実施形態において、収容鍋状部をローラ部分に取り付けるための別の工程を示す図である。
【図１７】本発明の一実施形態において、収容鍋状部をローラ部分に取り付けるための別の工程を示す図である。
【図１８】本発明の一実施形態のためのさまざまなサイズの収容鍋状部を示す側面図である。
【図１９】本発明の一実施形態と共に使用するためのモップサイズ選択器スイッチを示す図である。
【図２０】自動モップサイズ検知器の構成を有する本発明のモップディスペンサの一実施形態を示す斜視図である。
【図２１】本発明の一実施形態を示す側面図であり、自在な取付け構成をその上に示している。
【図２２】本発明の一実施形態を示す側面図であり、床への取付け構成をその上に示している。
【図１】
2007536010.tif 000003
【図２】
2007536010.tif 000004
【図３】
2007536010.tif 000005
【図４】
2007536010.tif 000006
【図５】
2007536010.tif 000007
【図６】
2007536010.tif 000008
【図７】
2007536010.tif 000009
【図８】
2007536010.tif 000010
【図９】
2007536010.tif 000011
【図１０】
2007536010.tif 000012
【図１１】
2007536010.tif 000013
【図１２】
2007536010.tif 000014
【図１３】
2007536010.tif 000015
【図１４】
2007536010.tif 000016
【図１５】
2007536010.tif 000017
【図１６】
2007536010.tif 000018
【図１７】
2007536010.tif 000019
【図１８】
2007536010.tif 000020
【図１９】
2007536010.tif 000021
【図２０】
2007536010.tif 000022
【図２１】
2007536010.tif 000023
【図２２】
2007536010.tif 000024
【国際調査報告】
2007536010.tif 000025